(57)【特許請求の範囲】
【請求項１】
書棚本体の側板の内側面の前部および後部に上下位置変更可能に係着した棚受け具に、棚板の左右下面の前後に形成した凹溝部を載置することにより、左右の側板間に棚板を架設出来るようにした書棚において、
前記棚板の凹溝部が棚板下面に開口して形成されているとともに、前記凹溝部内には棚受け具からの棚板の浮き上がりや逸脱を防止する係止部材が設置され、該係止部材が棚受け具の下方の前記開口を覆う棚板固定位置と、棚受け具の下方の前記開口から外れた棚板移動位置との間を摺動可能に取り付けられていることを特徴とする書棚の棚板取付装置。
【請求項２】
凹溝部を、棚板の左右長手方向の寸法と同長でかつ全長にわたって下面が開口するように設けるとともに、前記凹溝部内に係止部材を左右摺動可能に、かつ下方に外れないように取付けられていることを特徴とする請求項１に記載の書棚の棚板取付装置。
【発明の詳細な説明】
【０００１】
【発明の属する技術分野】
本発明は、書棚本体の内側面の前部及び後部に上下位置変更可能に係着した棚受け具に、棚板を架設出来るようにした書棚に関し、特に、前記凹溝部を前記棚受け具に載置した後の棚受け具からの棚板の浮き上がりや逸脱を防止した書棚の取付装置に関する。
【０００２】
【従来の技術】
従来、書棚本体の側板の内側面の前部および後部に上下位置変更可能に係着した棚受け具に、棚板の左右下面の前後に形成した下面が開口する凹溝部を載置することにより、左右の側板間に棚板を架設出来るようにした書棚の棚板取付装置は、木製の書棚用として一般的に広く普及している。
【０００３】
【発明が解決しようとする課題】
しかしながら、この種の装置において、前後奥行の広い棚板や、棚板を前後に傾斜させて使用するものにあっては、棚板上の前後のいずかに書籍等の負荷が集中した場合に、負荷の集中した側と逆の側で、棚板が棚受け具から浮き上がったり、棚板が外れて書籍等が落下するということがあった。
【０００４】
本発明は、上記のような問題点に着目してなされたもので、棚板上の前後のいずれかに書籍等の負荷が集中した場合にあっても、棚受け具からの棚板の浮き上がりや逸脱が防止されるようにした安全性の高い書棚の棚板取付装置を提供することを目的としている。
【０００５】
【課題を解決するための手段】
上記問題を解決するために、請求項1の発明は、書棚本体の側板の内側面の前部および後部に上下位置変更可能に係着した棚受け具に、棚板の左右下面の前後に形成した凹溝部を載置することにより、左右の側板間に棚板を架設出来るようにした書棚において、
前記棚板の凹溝部が棚板下面に開口して形成されているとともに、前記凹溝部内には棚受け具からの棚板の浮き上がりや逸脱を防止する係止部材が設置され、該係止部材が棚受け具の下方の前記開口を覆う棚板固定位置と、棚受け具の下方の前記開口から外れた棚板移動位置との間を摺動可能に取り付けられていることを特徴としている。
この特徴によると、棚板を棚受け具に載置した後に、棚受け具の下方の少なくとも一部を覆う係止部材が棚板下面に設けられていることにより、棚板上の前後のいずれかに書籍等の負荷が集中した場合であっても、係止部材が棚受け具に当接して棚受け具からの棚板の浮き上がりが防止されるため、棚板が外れて、書籍等が落下することがなく、安全である。
また、係止部材を棚板固定位置にすると、棚受け具からの棚板の浮き上がりを防止でき、係止部材を棚板移動可能位置にすると、棚板を棚受け具の取外しが可能となり、棚板の高さ変更や書棚本体からの取外しが行えるとともに、係止部材の棚板固定位置と棚板移動可能位置との位置変更が摺動により容易に行えるばかりか、係止部材の棚板下面からの張り出しが少なく、係止部材が邪魔にならない。
【０００６】
請求項２の発明は、請求項1において、凹溝部を、棚板の左右長手方向の寸法と同長でかつ全長にわたって下面が開口するように設けるとともに、前記凹溝部内に係止部材を左右摺動可能に、かつ下方に外れないように取付けられていることを特徴とする。
請求項２の発明によれば、係止部材の位置を左右広範囲に移動できるため、係止部材の不使用時には、係止部材を棚板の中央付近に収納できる。
【０００７】
【発明の実施の形態】
以下、本発明の実施の形態を図面に基づいて説明していくと、まず図１には本発明の適用される書棚１をやや下方から見た斜視図が示されており、２は該書棚１の天板、３は側板をそれぞれ示している。この側板３の内側には、例えば外周にローレットを施したナット５が２列に一定の間隔を以て固く埋め込まれており、このナット５の所定箇所には円筒形の棚受け具６がねじ込まれている。
【０００８】
７は前記側板３間に架設される棚板であり、棚板７の下面前後には、左右方向の全長に渡って下面が開口する凹溝を有する金属又は合成樹脂からなる凹溝部としての前・後部レール８、９が設けられている。また、特に図２に示されるようにこの棚板７の上面及び前後側面には樹脂製の化粧板７ａが貼着されており、下方の棚板７の化粧板７ａの後端部においては、ストッパ片７ｂが突設されている。
【０００９】
前記前・後部レール８、９は、棚板７の下面に形成される凹溝内に嵌合される断面略コ字状の金属又は合成樹脂部材からなり、これらの両下端には、それぞれ断面略Ｊ字状の係止杆１０が互いに対向するように形成されている。尚、特に図示しないが、これら前・後部レール８、９には、棚板７上に並列される書籍類が倒れるのを防ぐ適宜線材からなるブックサポートが任意の位置に取付け出来るようになっている。
【００１０】
このように構成される棚板７は左右両側板３の前後所定位置のナット５にねじ込まれた棚受け具６上に、前・後部レール８、９の左右両端部の凹溝部を載置することで左右側板３、３間に架設することが出来るようになっている。
【００１１】
また、後部レール９の開口幅は棚受け具６の直径よりも幅広になっており、図１、２に示されるように、前後の棚受け具６をそれぞれ上下にずらして設けることで、下方の棚板７のように棚板７を前後に傾斜させた状態に架設することも出来る。この時、前記下方の棚板７上に載置される書籍類は、前記ストッパ片７ｂによって後方に滑り落ちないようになっている。
【００１２】
前部レール８内には、特に図３に示されるように、棚受け具６の下半部を覆えるように断面略コ字状に屈曲形成される覆い片１２と、該覆い片１２の上端よりそれぞれ外方を向くように屈曲形成される係合片１３とからなる係止部材１１が、図４に示されるように左右方向にスライド可能に、かつ前記前部レール８の係止杆１０と係合する係合片１３を介して下方向への逸脱が不能に嵌装されている。尚、１４は係止部材１１をスライドさせるための取手片である。
【００１３】
前記係止部材１１は、棚板７を左右の側板３、３間に架設する際に予め前部レール８のそれぞれ左右両端部近傍（図４中実施線位置）に嵌装させておくことが出来、棚受け具６上に前部レール８を載置した後に、前述のように棚受け具６方向にそれぞれスライド移動させることが出来るようになっている。
【００１４】
このように棚受け具６方向にスライド移動された係止部材１１の覆い片１２により、棚受け具６の少なくとも下方が覆われることになる。特に前後方向に傾斜して設けられた棚板７等において、その上面に載置される書籍類が特に前記棚板７の後部に集中して載置された場合、棚板７の前後のバランスが著しく偏るため、棚板７の前部が棚受け具６を中心として上方に浮き上がろうとするが、棚受け具６の前部下方が、後部レール９に対して逸脱不能に嵌装された係止部材１１の覆い片１２と当接し、浮き上がりが規制される。
【００１５】
このように棚板７の下面所定箇所（レールを含む）に、棚受け具６の下方の少なくとも一部を覆う係止部材１１が設けられていることで、棚板７の棚受け具６からの浮き上がりや逸脱が防止されるようになる。
【００１６】
また、前記係止部材１１が、棚受け具６の下方の少なくとも一部を覆う棚板固定位置と、前記棚受け具６から外れた棚板移動可能位置との間を移動可能に設けられていることで、棚板７の固定及び移動を簡単な操作で行うことが可能になる。
【００１７】
以上、本発明の実施の形態を図面を用いて説明してきたが、本発明は、上記実施の態様に限定されるものではなく、種々の実施形態を取り得る。
【００１８】
【発明の効果】
本発明によれば、次のような効果が得られる。
【００１９】
（ａ）請求項１の発明によれば、棚板を棚受け具に載置した後に、棚受け具の下方の少なくとも一部を覆う係止部材が棚板下面に設けられていることにより、棚板上の前後のいずれかに書籍等の負荷が集中した場合であっても、係止部材が棚受け具に当接して棚受け具からの棚板の浮き上がりが防止されるため、棚板が外れて、書籍等が落下することがなく、安全である。
また、係止部材を棚板固定位置にすると、棚受け具からの棚板の浮き上がりを防止でき、係止部材を棚板移動可能位置にすると、棚板を棚受け具の取外しが可能となり、棚板の高さ変更や書棚本体からの取外しが行えるばかりか、係止部材の棚板固定位置と棚板移動可能位置との位置変更が摺動により容易に行えるとともに、係止部材の棚板下面からの張り出しが少なく、係止部材が邪魔にならない。
【００２０】
（ｂ）請求項２の発明によれば、係止部材の位置を左右広範囲に移動できるため、係止部材の不使用時には、係止部材を棚板の中央付近に収納できる。
【図面の簡単な説明】
【図１】本発明の実施形態としての書棚の一部を示す斜視図である。
【図２】図１のＡ−Ａ断面図である。
【図３】図１の係止部材を示す斜視図である。
【図４】図２に対応する作用を示す要部拡大斜視図である。
【符号の説明】
１          書棚
２          天板
３          側板
５          ナット
６          棚受け具
７          棚板
７ａ        化粧板
７ｂ        ストッパ片
８          前部レール
９          後部レール
１０          係止杆
１１          係止部材
１２          覆い片
１３          係合片
１４          取手片
【図１】
0003585665.tif 000002
【図２】
0003585665.tif 000003
【図３】
0003585665.tif 000004
【図４】
0003585665.tif 000005